(57)【要約】【課題】内部に収容されたレフィルの交換が容易で、このレフィルの先端を覆うキャップを紛失するおそれがない棒状化粧料容器を提供する。【解決手段】レフィル２４を収容するレフィルホルダ２の上側開口部２ｄに、上端にキャップ１１を備える円筒状のレフィルカバー１を回転自在に取り付け、レフィルホルダ２の下側開口２ｅの内部に、レフィル２４の回動操作部２７ｂを固定するためのアダプタ３を、回転不能に嵌入するとともに、レフィル２４上部の外筒２５外径を、上記レフィルカバー１の内周１ｃに挿入して嵌合させ、レフィル２４下部の回動操作部２７ｂを、上記レフィルホルダ２の内周２ｃに嵌合したアダプタ３の内周面３ｅに押し込んで固定する。この棒状化粧料容器は、キャップ１１を紛失するおそれがなく、また、下側の底部材４を取り去ることにより、レフィルホルダ２内に収容されたレフィル２４を、簡単に交換することができる。【選択図】図１
2010162194.tif 000002
【特許請求の範囲】
【請求項１】
外筒とこの外筒の下端開口から突出する内筒の回動操作部との相対回転に伴って、その内部に収容された棒状化粧料を昇降させるレフィルと、このレフィルを保持する筒状のレフィルホルダとを備える棒状化粧料容器であって、上記レフィルホルダの上端部には、円状の上側開口が設けられ、この上側開口内に、その縁部と係合する係合手段が形成された外周面を有するレフィルカバーが、上記レフィルホルダに対して回転自在に嵌入され、上記レフィルカバーの上端には、このレフィルカバーの上端開口を覆うキャップが、ヒンジを介して取り付けられて、上記レフィルホルダの下端部には下側開口が設けられ、この下側開口から、筒状のアダプタが上記レフィルホルダに対して回転不能に嵌入され、上記下側開口には、この開口を密閉する底部材が配置されて、上記レフィルが、その外筒を上記レフィルカバーの内周に嵌入し、その内筒の回動操作部を上記アダプタの内周に嵌入した状態で、交換可能に保持されているとともに、上記レフィルカバーとレフィルホルダとを相対回転させ、上記レフィルから棒状化粧料を繰り出すことを特徴とする棒状化粧料容器。
【請求項２】
上記レフィルの回動操作部と嵌合する上記筒状のアダプタの内周面に、上記底部材側に向かって階段状に縮径する円周段部が形成されている請求項１記載の棒状化粧料容器。
【発明の詳細な説明】
【技術分野】
【０００１】
本発明は、口紅，リップクリーム等の棒状化粧料を繰り出して使用する容器に関するもので、特に、店頭等に展示され、ユーザーが試用することのできる口紅テスター等、棒状化粧料のテスターに適した容器に関するものである。
【背景技術】
【０００２】
従来から、口紅等、棒状化粧料の色見本品を店頭等で展示する際には、図３に示すように、レフィルホルダ２２の上側に色見本２１（ダミーや色板，シール等）が取り付けられ、その下側に試供用の筒状カートリッジ（試供品用のレフィル２４）が配設された棒状化粧料容器（テスター２０）を各色ごとに用意し、これらを、上面に多数のテスター挿入穴３０ａが設けられた展示台３０に並べて展示する方法が用いられている（例えば、特許文献１，２等を参照）。
【０００３】
この試供品用のレフィル（あるいはリフィル：ｒｅｆｉｌｌ）２４は、図５のように、外筒２５と、らせん状の溝を有する螺旋筒２６と、長手（軸）方向の案内溝を有する小径のガイド部２７ａおよび大径の回動操作部２７ｂからなる内筒（案内筒２７）と、外周に上記案内溝と係合する突起を有する繰出筒２８とから構成されており、筒状体として組み立てられた状態で、上記外筒２５と、この外筒２５の下部からハカマ状に露出する上記案内筒２７の回動操作部２７ｂとを相対回転させることにより、上記繰出筒２８に下端部を保持された棒状化粧料を、筒状体の軸方向に昇降させることができる（特許文献３，４等を参照）。
【０００４】
また、上記レフィル２４は、図４のように、その筒状体の開口（棒状化粧料の繰出し口）を下に向けた状態でアダプタ２３に嵌入され、このアダプタ２３ごとレフィルホルダ２２の下端開口から押し込まれて、上記レフィルホルダ２２の内側に下向きに保持されている。なお、アダプタ２３の内周（筒部の底部近傍）には、上記案内筒２７の回動操作部２７ｂのみを固定する複数のリブ（図示省略）が設けられているため、上記レフィル２４がレフィルホルダ２２の内側に下向きに保持された際は、このレフィルホルダ２２および上記アダプタ２３と、上記レフィル２４の回動操作部２７ｂとが一体となって、上記外筒２５に対して相対回転する。
【０００５】
そして、ユーザーが試用する場合は、上記テスター２０を展示台３０から抜き出し、試供品用のレフィル２４を上に向け、その状態で、レフィル２４における上記レフィルホルダ２２から露出（突出）している部位（筒状カートリッジの外筒）と、レフィルホルダ２２とを相対回転させることにより、棒状化粧料を繰り出して、試し塗りを行なうことができるようになっている。
【０００６】
なお、上述のような口紅のテスター２０の展示方法では、テスター２０が長期間展示されていると、試し塗りを繰り返されるために使い尽くされたり、すり減って見栄えが悪くなったりする場合がある。このようなときは、レフィルを新しいものと交換する必要があるが、試供品用のレフィル２４は販売促進用として限定生産されたもので再入手が困難であるため、代わりに、図４のように、市販品（商品）に用いられている筒状カートリッジ（市販品用のレフィル２９）を上記レフィルホルダ２２に保持して展示することが行われる。
【０００７】
ただし、通常、市販品用のレフィル２９は、通常、その回動操作部２９ａに相当する部位の外径が、試供品用のレフィル２４より大径に形成されているため、レフィルホルダ２２の下端開口からそのまま押し込んで固定するか、あるいは、別途専用のアダプタを介して固定する方法が採られている。
【先行技術文献】
【特許文献】
【０００８】
【特許文献１】特開平８−１１７０６９号公報
【特許文献２】特開平９−３２２８２０号公報
【特許文献３】特開２００８−１８３２１１号公報
【特許文献４】特開２００６−２０４４１５号公報
【発明の概要】
【発明が解決しようとする課題】
【０００９】
ところで、このような口紅の展示方法においては、図３のように、テスター２０は、その上部の色見本２１がユーザーから見えるように載置され、その下部（サンプル品の部分）が展示台３０の挿入穴３０ａに挿入されて隠れるため、下方を向くレフィル（２４，２９）の開口部には、カバーやキャップ等の蓋部材は特に設けられていない。
【００１０】
しかしながら、近年、密着感やツヤ等を向上させた口紅等、従来よりオイルリッチで低融点の棒状化粧料が商品化されたことから、テスターを展示する場所によっては、夏場等の気温の上昇あるいは照明光による温度上昇等により、棒状化粧料が軟化してしまう場合があることが分かってきた。この棒状化粧料の軟化が極端な場合、開口を下にして展示されているレフィルから、溶融した棒状化粧料の滴が落下するおそれがあり、最悪の場合、棒状化粧料自身がレフィルから抜け落ちる等の問題が発生する可能性がある。
【００１１】
そこで、レフィルを上向きに展示することも考えられるが、試用に供される棒状化粧料のテスターは、市販品とは異なり、不特定多数の人が使用するため、埃等を防ぐために蓋やキャップ等を設ける必要がある。しかし、この場合も、１）レフィルの交換が容易で、試供品用および市販用のレフィルに対応できること。２）蓋やキャップ等が簡単かつ直感的に開閉可能であること。３）開けた蓋やキャップ等を紛失しない構造であること、等が求められる。
【００１２】
本発明は、このような事情に鑑みてなされたもので、内部に収容されたレフィルの交換が容易で、このレフィルの先端を覆うキャップを紛失するおそれがない棒状化粧料容器の提供をその目的とする。
【課題を解決するための手段】
【００１３】
上記の目的を達成するため、本発明は、外筒とこの外筒の下端開口から突出する内筒の回動操作部との相対回転に伴って、その内部に収容された棒状化粧料を昇降させるレフィルと、このレフィルを保持する筒状のレフィルホルダとを備える棒状化粧料容器であって、上記レフィルホルダの上端部には、円状の上側開口が設けられ、この上側開口内に、その縁部と係合する係合手段が形成された外周面を有するレフィルカバーが、上記レフィルホルダに対して回転自在に嵌入され、上記レフィルカバーの上端には、このレフィルカバーの上端開口を覆うキャップが、ヒンジを介して取り付けられて、上記レフィルホルダの下端部には下側開口が設けられ、この下側開口から、筒状のアダプタが上記レフィルホルダに対して回転不能に嵌入され、上記下側開口には、この開口を密閉する底部材が配置されて、上記レフィルが、その外筒を上記レフィルカバーの内周に嵌入し、その内筒の回動操作部を上記アダプタの内周に嵌入した状態で、交換可能に保持されているとともに、上記レフィルカバーとレフィルホルダとを相対回転させ、上記レフィルから棒状化粧料を繰り出す棒状化粧料容器を第１の要旨とする。
【００１４】
また、本発明は、そのなかでも、特に、上記レフィルの回動操作部と嵌合する上記筒状のアダプタの内周面に、上記底部材側に向かって階段状に縮径する円周段部が形成されている棒状化粧料容器を第２の要旨とする。
【発明の効果】
【００１５】
本発明は、レフィルを上向きに収容するレフィルホルダ内の底部近傍に、色々な太さ（外径）の回動操作部を保持できるアダプタを配設し、互いに相対回転する部材の一方側にあたる上記レフィルの下端部（回動操作部）を、このアダプタを介して上記レフィルホルダで支持するとともに、相対回転の他方側にあたる上記レフィルの上端部（外筒）を、上記レフィルホルダに対して回転自在に取り付けられた、キャップ付きのレフィルカバーに嵌入して支持することにより、これらレフィルカバーとレフィルホルダの相対回転によるスムーズな繰り出し操作と、上記レフィルホルダの下側開口を経由した、簡単なレフィル交換作業とを可能にしたものである。
【００１６】
すなわち、本発明の棒状化粧料容器は、レフィルホルダの上側開口部に、上端にキャップを備える円筒状のレフィルカバーを回転自在に取り付け、該レフィルホルダの下側開口の内部に、レフィルの回動操作部を固定するためのアダプタを、回転不能に嵌入するとともに、レフィル上部の外筒外径を、上記レフィルカバーの内周に挿入して嵌合させ、該レフィル下部の回動操作部を、上記レフィルホルダの内周に嵌合したアダプタの内側に押し込んで固定することにより、ユーザーが直接操作するレフィルカバーとレフィルホルダの相対回転が、上記レフィルにおける外筒と回動操作部に伝達され、これらの相対回転に置き換えられる。したがって、本発明の棒状化粧料容器は、従来の棒状化粧料容器と同様の操作で、直感的に使用できる。
【００１７】
また、本発明の棒状化粧料容器は、上記レフィルホルダの下側開口に配設された底部材を取り去ることにより、その内部に配置されたアダプタを容易に抜き取ることが可能となる。したがって、本発明の棒状化粧料容器は、レフィルホルダ内に収容されたレフィルを、簡単に交換することができる。
【００１８】
さらに、本発明の棒状化粧料容器は、レフィル上部の外筒を覆うレフィルカバーにキャップが設けられていることから、このレフィルの内部に埃等が入り込むおそれが少なく、店頭等で上向きに展示しても、照明等の熱から棒状化粧料を保護することができる。
【００１９】
そして、本発明の棒状化粧料容器は、上記キャップがヒンジを介してレフィルカバーに取り付けられていることから、このキャップが離れて紛失するおそれがなく、構造がシンプルで、誰にでも簡単にかつ直感的に操作することができるという利点を有する。
【００２０】
なお、この棒状化粧料容器を、棒状化粧料のテスターとして用いた場合も、上部のキャップを開け、上記レフィルカバーとレフィルホルダを相対回転させるだけで試用が可能であることから、従来の棒状化粧料容器と違和感なく、すぐに使用することができ、好適である。
【００２１】
また、本発明の棒状化粧料容器において、特に、上記レフィルの回動操作部と嵌合する上記筒状のアダプタの内周面に、上記底部材側に向かって階段状に縮径する円周段部が形成されているものは、上記レフィル下部の回動操作部を保持する際に、種々のサイズ（外径）のレフィルに容易に対応することができる。したがって、本発明の棒状化粧料容器は、試供品用や市販品用等、回動操作部の外径寸法の異なるレフィルを併用する棒状化粧料容器、なかでも特に、口紅等の棒状化粧料テスターに適する。
【図面の簡単な説明】
【００２２】
【図１】本発明の実施の形態における棒状化粧料容器の断面図である。
【図２】本発明の実施の形態における棒状化粧料容器の構成を示す組立図である。
【図３】口紅テスターの展示方法を説明する図である。
【図４】従来の口紅テスターの構成を示す組立図である。
【図５】従来の口紅テスターに用いられる試供品用レフィルの構成を示す組立図である。
【発明を実施するための形態】
【００２３】
つぎに、本発明の実施の形態を、図面にもとづいて詳しく説明する。ただし、本発明は、この実施の形態に限定されるものではない。
【００２４】
図１は、本発明を棒状化粧料テスター（以下「テスター」という）の縦断面図であり、図２は、このテスターの構成を示す組立図である。なお、ユーザーの操作を考慮して、棒状化粧料の繰出し方向（図示上下方向）を、そのまま上側および下側とし、棒状化粧料を収容するレフィル２４の回転軸中心方向を内側、その反対方向を外側として説明する。また、棒状化粧料を収容するレフィル２４は、図４，図５の従来例と同様の構成であるため、同じ符号を付記して、その説明を省略する。
【００２５】
本実施形態におけるテスター１０は、口紅等、棒状化粧料の色見本品を店頭等で展示する際に用いられるものであり、試供品用のレフィル２４と、筒状のレフィルホルダ２と、有底筒状のアダプタ３と、上記レフィルホルダ２の下側開口２ｅを密閉する底部材４と、キャップ１１を備える筒状のレフィルカバー１とから構成されている。なお、上記テスター１０を構成する部材（部品）は、棒状化粧料を除き、すべて樹脂を用いて形成されている。
【００２６】
また、上記テスター１０は、従来の口紅テスター２０（図５参照）とは異なり、図１のように、そのレフィルホルダ２の下側に大きな開口２ｅが設けられており、上記レフィル２４は、この下側開口２ｅからレフィルホルダ２内に挿入され、そのレフィル２４の開口（棒状化粧料の繰出し口）を上に向けて、すなわち、ユーザーの使用方向と同じ方向に向けて保持するように構成されている。したがって、このテスター１０は、夏場等の気温の上昇あるいは店頭の照明光による温度上昇等、レフィル２４の内部に充填された棒状化粧料が軟化し易い環境におかれた場合でも、溶融した棒状化粧料の滴が落下したり、棒状化粧料自身がレフィル２４から抜け落ちる等の不具合の発生がない。
【００２７】
上記レフィルホルダ２は、外周が多角形状（本実施形態においては四角形状）に形成された中空の筒状部材であり、外周面２ｂおよび内周面２ｃを有する四角柱状の側壁（筒状部）２ａと、この側壁２ａの上端近傍から内側に突出するフランジ部２ｆ（係合手段）とからなり、上記側壁２ａの上端および下端には、上側開口２ｄおよび下側開口２ｅが形成されている。この下側開口２ｅは、上記側壁２ａの周面と同じ形状であるが、上記上側開口２ｄは、後述する円筒状のレフィルカバー１を係合させて取り付けることができるようになっており、上記側壁２ａの上端近傍に設けられたフランジ部２ｆによって、その縁部がレフィル２４よりやや大きな円状（丸状）に形成され、係合手段の一方側を構成している。
【００２８】
また、上記レフィルカバー１は、円筒状の中空部材であり、外周面１ｂおよび内周面１ｃを有する筒状部１ａと、この筒状部外周面１ｂの下端近傍から外側に突出するリブ１ｆ，１ｆ（係合手段）と、上記筒状部１ａの外側に、該筒状部１ａを覆うように形成された飾り筒１ｈとからなり、上記筒状部１ａの上端および下端には、上端開口１ｄおよび下端開口１ｅが形成されている。上記二条のリブ１ｆ，１ｆは、円周方向に互いに平行するように設けられており、上記係合手段の他方側を構成している。
【００２９】
そして、これら二条のリブ１ｆ，１ｆの間に形成される円周溝１ｇに、上記レフィルホルダ２の上側開口２ｄの縁部（フランジ部２ｆの先端）を嵌入させることによって、このレフィルカバー１は、上記レフィルホルダ２に対して摺動回転できるように取り付けられている。
【００３０】
なお、上記レフィルカバー１の筒状部内周面１ｃは、レフィルホルダ２内に収容されるレフィル２４の外筒２５外径とほぼ同じ径に形成されている。また、筒状部外周面１ｂの外側には、該筒状部１ａを延設して、このレフィルカバー１の外観（見栄え）を向上させるための飾り筒１ｈが形成されているとともに、この飾り筒１ｈの上端には、後述するキャップ１１が、ヒンジ１２を介して取り付けられている。
【００３１】
上記キャップ１１は、上記レフィルカバー１と略同じ外周形状を有する側壁と、蓋部１１ａとからなり、上述のようにヒンジ１２を介して、レフィルカバー１の上端開口１ｄを密閉できるように取り付けられている。
【００３２】
一方、レフィルホルダ２の下側に配設される上記アダプタ３は、その外周が上記レフィルホルダ２の内周面２ｃに沿った形状（本実施形態においては四角形状）に形成された有底筒状部材であり、上記形状の外周面３ｃを有する四角柱状の側壁３ａと、底部３ｂとからなり、この側壁３ａの内側には、段部（３ｆ）を有する内周面（３ｄ，３ｅ）が、上に向けて開口するように形成されている。
【００３３】
上記アダプタ３の内周面（３ｄ，３ｅ）は、上側の大径内周面３ｄと下側の小径内周面３ｅとから構成されており、その間には、これらを分かつ円周段部３ｆが形成されている。また、大径内周面３ｄの内径と、小径内周面３ｅの内径とは、それぞれ、前述の市販品用のレフィル２９（図４参照）の回動操作部２９ａの外径と、上記試供品用のレフィル２４の回動操作部２７ｂの外径とに、対応した径とされている。そして、これらの内周面３ｄ，３ｅの表面には、上記レフィル２４，２９の回動操作部２９ａ，２７ｂとの嵌合（固定）を確実にするための上下方向のリブ３ｇ，３ｇ，・・・が、円周方向に等間隔で多数設けられている。
【００３４】
また、上記底部材４は、その外周が上記レフィルホルダ２の外周面２ｂと略同じ形状（本実施形態においては四角形状）に形成された底板４ａと、この底板４ａの上面（レフィルホルダ２側）から突出する４つの係合片４ｂ，４ｂ，・・・とからなり、各係合片４ｂの外側面に設けられた凸部を、レフィルホルダ２の下側開口２ｅ近傍の内周面２ｃに設けられた凹部に嵌入して係合させることにより、上記アダプタ３を上に押し上げた状態で、上記レフィルホルダ２の下側開口２ｅに固定されている。
【００３５】
そして、上記底部材４の下面側には円柱状のダミー５が形成されており、このダミー５を、先の従来例（図３参照）で述べた展示台３０のテスター挿入穴３０ａに挿入することにより、このテスター１０を安定して載置することができるようになっている。
【００３６】
本実施形態におけるテスター１０の特徴は、先に述べたように、上記レフィル２４をその開口を上に向けて保持すべく、レフィルホルダ２の上側開口部（２ｄ）に、上端にキャップ１１を備える円筒状のレフィルカバー１が回転自在に取り付けられ、上記レフィルホルダ２の中に、レフィル２４の回動操作部２７ｂを固定するためのアダプタ３が、回転不能に嵌入されている点である。
【００３７】
また、レフィル２４は、上記の構成により、その開口（棒状化粧料の繰出し口）を上に向けた状態で、その上端の外筒２５上部が、上記レフィルカバー１の内周に嵌入されて支持され、その下端の回動操作部２７ｂが、上記アダプタ３の内側に形成された円周段部３ｆの内周（３ｅ）に嵌入して支持されており、これら外筒２５と回動操作部２７ｂとの間の相対回転が可能なように保持されている。
【００３８】
このため、上記テスター１０をユーザーが試用する場合、ユーザーが直接手に触れるレフィルカバー１とレフィルホルダ２を相対回転させると、レフィルカバー１の回転が上記レフィル２４の外筒２５に伝達されて一緒に回転するとともに、レフィルホルダ２の回転が上記アダプタ３を介してレフィル２４の内筒回動操作部２７ｂに伝達されて一緒に回転し、結果的に、レフィル２４の外筒２５と回動操作部２７ｂとが相対回転することとなる。このようにして、本実施形態におけるテスター１０は、上記レフィルカバー１とレフィルホルダ２を相対回転させることにより、レフィル２４内部に収容された棒状化粧料を、上に向けて繰出すことができる。
【００３９】
また、本実施形態におけるテスター１０は、上記レフィルカバー１にキャップ１１が取り付けられていることから、レフィルカバー１およびレフィル２４の内部に埃等が入り込むのが防止されるとともに、店頭等で展示を行なう場合でも、照明等の熱から内部の棒状化粧料を保護することができる。また、キャップ１１が、ヒンジ１２を介して取り付けられていることから、使用時にも、このキャップ１１を紛失するおそれがない。
【００４０】
さらに、本実施形態におけるテスター１０は、上記レフィルホルダ２の下側開口２ｅに配設された底部材４を取り去ることにより、その内部に配置されたアダプタ３を容易に抜き取ることが可能となる。したがって、このテスター１０は、レフィルホルダ２内に収容されたレフィル２４を、簡単に交換することができる。
【００４１】
なお、上記実施形態においては、本発明に係る棒状化粧料容器として、試供品用のレフィル２４を用いたテスター１０を例に説明したが、この試供品用のレフィル２４に代えて、通常の市販品（商品）に用いられているレフィル２９（図５参照）を使用することができる。その場合、レフィル２９の回動操作部２９ａを、上記大径内周面３ｄに嵌合させて保持すればよい。
【００４２】
また、上記実施形態では、アダプタ３の内側に円周段部３ｆを設けることにより、異なる内径を有する二段構成の内周面（３ｄ，３ｅ）を形成したテスター１０の例を示したが、本発明では、さらに多段の円周段部が形成された、階段状の内周面を有するアダプタ３を用いることもできる。
【００４３】
さらに、種々の外径寸法のレフィルに対応する別の手段として、内周面の径が互いに異なる複数のアダプタを予め準備し、これらのアダプタを交換しながら使用する方法を採用してもよい。このようにしても、回動操作部の外径寸法の異なるレフィルに容易に対応でき、レフィルを簡単に交換できるという利点は変わらない。
【００４４】
また、上記底部材４をレフィルホルダ２の下側開口２ｅに固定する手段も、特に限定されるものではなく、上記ホルダ内周面への係合の他、ホルダ外周面への係合、あるいは、内外周面への圧入やその他の方法を用いてもよい。また、上記ダミー５の形状やその有無も限定されるものではないが、底部材４の取り外しが簡単になる点を考慮すると、このダミー５ような凸状物を形成しておくほうが、レフィルの交換が容易になって好ましい。
【００４５】
さらに、上記の実施形態では、レフィルカバー１をレフィルホルダ２に係合させる手段として、レフィルカバー１側に設けた二条のリブ１ｆ，１ｆの間の溝１ｇに、レフィルホルダ側の上側開口２ｄの縁部を係合させた例を示したが、これらは逆の構成としてもよく、本発明におけるレフィルカバー１とレフィルホルダ２の間の係合手段は、これらの形状に合わせて適宜に変更すればよい。
【００４６】
また、レフィルカバー１を覆うキャップ１１の構成も、特に限定されるものではなく、このキャップ１１単独で、または、上記レフィルカバー１とともに、レフィル２４内の棒状化粧料と同じ色に着色してもよい。着色することによって、これらを棒状化粧料の色見本とすることができる。また、着色する代わりに、キャップ蓋部１１ａの上面に、ダミーや色板，シール等の色見本を取り付けてもよい。
【００４７】
そして、上記の実施形態では、顧客の試用に供される口紅テスターを例に説明したが、本発明の棒状化粧料容器の構造は、この店頭用テスターだけではなく、顧客に販売される通常の市販品（商品）に適用できる。
【００４８】
したがって、レフィル（カートリッジ）の内部に充填される棒状化粧料は、口紅の他、リップクリーム，チック等、その他のスティック状化粧品でもよく、レフィルホルダ２や、レフィルカバー１，アダプタ３，底部材４，ダミー５およびキャップ１１等、本発明の棒状化粧料容器を構成する部材の材料や、これらの形状は、その商品に合わせて適宜変更すればよい。
【産業上の利用可能性】
【００４９】
本発明は、店頭等に展示されてユーザーが試用することのできる口紅テスターやリップクリームテスター等、不特定多数の人が利用する可能性のある棒状化粧料のテスターに適する。また、顧客に販売される市販品（商品）の棒状化粧料容器に使用することもできる。
【符号の説明】
【００５０】
１  レフィルカバー
１ｃ  内周面
２  レフィルホルダ
２ｃ  内周面
２ｄ  上側開口
２ｅ  下側開口
３  アダプタ
３ｄ  大径内周面
３ｅ  小径内周面
４  底部材
５  ダミー
１０  テスター
１１  キャップ
１２  ヒンジ
２４  レフィル
２５  外筒
２７ｂ  回動操作部
【図１】
2010162194.tif 000003
【図２】
2010162194.tif 000004
【図３】
2010162194.tif 000005
【図４】
2010162194.tif 000006
【図５】
2010162194.tif 000007